(57)【要約】【課題】回動可能な上ケースを半開状態でのみ下ケースから容易に着脱可能にして、組み立て時及びメンテナンス時の作業の効率及び安全性を向上させる。【解決手段】回動部Ｃ１において、プレート６０の上部は、後側に斜めに折曲形成され、幅狭部６１ａとそれよりも左側に長い幅広部６１ｂとでなる係合突接部６１となっている。上ケース２０の第３屈曲部２４には、幅狭対応部２８ａとそれより左方に長い幅広対応部２８ｂとからなる係合穴２８が形成される。幅広対応部２８ｂは、幅広部６１ｂが挿通可能で、幅狭対応部２８ａは、幅広部６１ｂが挿通不能で且つ幅狭部６１ａが挿通可能である。上ケース２０を、着脱可能角度範囲に相当する姿勢でのみ、幅広部６１ｂの突設方向に沿って移動させることで、幅広部６１ｂに対して幅広対応部２８ｂが相対的に抜き差し可能である。【選択図】図９
2008164778.tif 000002
【特許請求の範囲】
【請求項１】
それぞれ別体の下ケースと上ケースとから構成される筐体を有し、前記下ケースに対して前記上ケースが回動して開閉可能にされ、前記上ケースが閉状態において前記下ケースに固定されることで前記筐体が完成する電子鍵盤楽器の筐体構造であって、
前記下ケースの後端部及び前記上ケースの後端部のいずれか一方に固定的に突設された突設部と、
前記下ケースの前記後端部及び前記上ケースの前記後端部のいずれか他方に設けられた係合穴とを有し、
前記突設部を前記係合穴に挿通係合した状態で、これらが係合している部分を回動中心として、前記上ケースが前記下ケースに対して開閉方向に回動自在にされ、
前記上ケースの開閉時の回動行程途中における所定の回動角度でのみ、前記突設部を前記係合穴に対して前記突設部の突設方向に相対的に抜き差し可能に構成されたことを特徴とする電子鍵盤楽器の筐体構造。
【請求項２】
前記突設部は、幅狭部と、該幅狭部よりも先端側において該幅狭部よりも鍵並び方向に長い幅広部とからなり、前記係合穴は、前記突設部の前記幅広部が挿通可能な幅を有する幅広対応部と、前記幅広部が挿通不能で且つ前記幅狭部が挿通可能な幅を有する幅狭対応部とが連接してなり、前記上ケースが前記所定の回動角度に相当する姿勢にある状態で、前記突設部の突設方向に前記上ケースを相対的に移動させることで、前記幅広対応部に対して前記幅広部が抜き差し可能であり、且つ、前記上ケースの開状態においては、前記幅広部と前記幅狭対応部との係合により、前記係合穴に対する前記突設部の前記突設部の突設方向への相対的な抜き差しが阻止されるように構成されたことを特徴とする請求項１記載の電子鍵盤楽器の筐体構造。
【請求項３】
前記突設部は、前記下ケースの前記後端部から上方斜め前方または後方に傾倒されて突設されると共に、前記係合穴は、前記上ケースの前記後端部に設けられ、前記上ケースの閉状態においては、前記下ケースの前記後端部と前記上ケースの前記後端部との係合と、前記突設部の前後のうち傾倒されている側の面と前記係合穴との係合の、両係合の協働によって、前記係合穴に対する前記突設部の前記突設部の突設方向への相対的な抜き差しが阻止されるように構成されたことを特徴とする請求項２記載の電子鍵盤楽器の筐体構造。
【請求項４】
前記突設部は、前記下ケースの前記後端部から上方斜め後方に傾倒されて突設されると共に、前記係合穴は、前記上ケースの前記後端部に設けられ、前記上ケースの開状態においては、前記突設部の前記幅狭部と前記係合穴の前記幅狭対応部との係合と、前記上ケースの前記後端部と前記下ケースの前記後端部の後面との直接または間接的な係合の、両係合の協働によって、前記上ケースが前記開状態に維持されるように構成されたことを特徴とする請求項２または３記載の電子鍵盤楽器の筐体構造。
【発明の詳細な説明】
【技術分野】
【０００１】
本発明は、上ケースが、下ケースに対して回動して開閉可能で、閉状態において下ケースに固定されることで筐体が完成する電子鍵盤楽器の筐体構造に関する。
【背景技術】
【０００２】
従来、電子鍵盤楽器の筐体構造において、上ケースと下ケースとが分離して構成され、両者を締結手段で締結固定するものが一般的である。しかし、上ケースと下ケースとが締結前まで完全に分離した構成だと、製造段階での組み立て時やサービス等におけるメンテナンス時には、上下のケースを別々の場所に載置しなければならず、作業スペースの効率がよくない。
【０００３】
一方、上ケースと下ケースとが別体で構成され、且つ、回動自在に連結された筐体構造も知られている。例えば、下記特許文献１では、上ケースが、下ケースに対して後部において蝶番を回動中心として回動して開閉可能で、上ケースが閉状態において下ケースにネジ等で固定されることで筐体が完成する。
【特許文献１】実開昭６２−１０３３８２号公報
【発明の開示】
【発明が解決しようとする課題】
【０００４】
しかしながら、上記特許文献１では、上ケースと下ケースとは、蝶番によって連結されているので、一旦連結された後は、連結を解除して両ケースを分離状態にするのが容易でない。
【０００５】
そのため、例えば、上ケースを下ケースに蝶番で連結した後に筐体に配設される部品については、配設作業がやりにくい。あるいは、下ケースとの連結前に部品を配設する必要がある等、作業の順番に制約が生じることがある。
【０００６】
また、一旦、蝶番で上ケースと下ケースとが連結された後において、例えば、メンテナンスのために筐体内部を見たい場合等でも、蝶番の連結解除が容易でないため、不便で、作業性が悪いという問題がある。
【０００７】
その一方、例えば、上ケースと下ケースとを蝶番に代わって回動自在に連結する回動部を採用する場合は、上ケースの開状態において上記回動部が意図せずに外れると、安全でない。また、上記回動部が、上ケースの閉状態において意図せずに外れると、両ケースの位置がずれ、その後の締結等の作業がやりにくくなる。
【０００８】
本発明は上記従来技術の問題を解決するためになされたものであり、その目的は、回動可能な上ケースを半開状態でのみ下ケースから容易に着脱可能にして、組み立て時及びメンテナンス時の作業の効率及び安全性を向上させることができる電子鍵盤楽器の筐体構造を提供することにある。
【課題を解決するための手段】
【０００９】
上記目的を達成するために本発明の請求項１の電子鍵盤楽器の筐体構造は、それぞれ別体の下ケース（４０）と上ケース（２０）とから構成される筐体（１０）を有し、前記下ケースに対して前記上ケースが回動して開閉可能にされ、前記上ケースが閉状態において前記下ケースに固定されることで前記筐体が完成する電子鍵盤楽器の筐体構造であって、前記下ケースの後端部（４１）及び前記上ケースの後端部（２０ａ）のいずれか一方に固定的に突設された突設部（６１）と、前記下ケースの前記後端部及び前記上ケースの前記後端部のいずれか他方に設けられた係合穴（２８）とを有し、前記突設部を前記係合穴に挿通係合した状態で、これらが係合している部分（Ｃ１）を回動中心として、前記上ケースが前記下ケースに対して開閉方向に回動自在にされ、前記上ケースの開閉時の回動行程途中における所定の回動角度でのみ、前記突設部を前記係合穴に対して前記突設部の突設方向に相対的に抜き差し可能に構成されたことを特徴とする。
【００１０】
好ましくは、前記突設部は、幅狭部（６１ａ）と、該幅狭部よりも先端側において該幅狭部よりも鍵並び方向に長い幅広部（６１ｂ）とからなり、前記係合穴は、前記突設部の前記幅広部が挿通可能な幅を有する幅広対応部（２８ｂ）と、前記幅広部が挿通不能で且つ前記幅狭部が挿通可能な幅を有する幅狭対応部（２８ａ）とが連接してなり、前記上ケースが前記所定の回動角度に相当する姿勢にある状態で、前記突設部の突設方向に前記上ケースを相対的に移動させることで、前記幅広対応部に対して前記幅広部が抜き差し可能であり、且つ、前記上ケースの開状態においては、前記幅広部と前記幅狭対応部との係合により、前記係合穴に対する前記突設部の前記突設部の突設方向への相対的な抜き差しが阻止されるように構成される（請求項２）。
【００１１】
好ましくは、前記突設部は、前記下ケースの前記後端部から上方斜め前方または後方に傾倒されて突設されると共に、前記係合穴は、前記上ケースの前記後端部に設けられ、前記上ケースの閉状態においては、前記下ケースの前記後端部と前記上ケースの前記後端部との係合と、前記突設部の前後のうち傾倒されている側の面（６１ｘ）と前記係合穴との係合の、両係合の協働によって、前記係合穴に対する前記突設部の前記突設部の突設方向への相対的な抜き差しが阻止されるように構成される（請求項３）。
【００１２】
好ましくは、前記突設部は、前記下ケースの前記後端部から上方斜め後方に傾倒されて突設されると共に、前記係合穴は、前記上ケースの前記後端部に設けられ、前記上ケースの開状態においては、前記突設部の前記幅狭部と前記係合穴の前記幅狭対応部との係合（Ｐ１）と、前記上ケースの前記後端部と前記下ケースの前記後端部の後面との直接または間接的な係合（Ｐ２）の、両係合の協働によって、前記上ケースが前記開状態に維持されるように構成される（請求項４）。
【００１３】
なお、上記括弧内の符号は例示である。
【発明の効果】
【００１４】
本発明の請求項１によれば、回動可能な上ケースを半開状態でのみ下ケースから容易に着脱可能にして、組み立て時及びメンテナンス時の作業の効率及び安全性を向上させることができる。
【００１５】
請求項２によれば、上ケースが開状態で意図せずに外れることを回避することができる。
【００１６】
請求項３によれば、上ケースが閉状態で意図せずに外れることを回避することができる。
【００１７】
請求項４によれば、上ケースが開状態で安定支持されるようにして、作業性や安全性を向上させることができる。
【発明を実施するための最良の形態】
【００１８】
以下、本発明の実施の形態を図面を参照して説明する。
【００１９】
図１（ａ）は、本発明の一実施の形態に係る筐体構造が適用される電子鍵盤楽器の平面図、図１（ｂ）は、同電子鍵盤楽器の背面図である。この電子鍵盤楽器においては、鍵盤部ＫＢがある側が、奏者が位置することになる「前側」であり、以降、左右方向については、奏者を基準として呼称する。この電子鍵盤楽器の筐体１０は、下ケース４０に上ケース２０が組み付けられて構成され、筐体１０の左右両側部に腕木７０（７０Ｌ、７０Ｒ）が装着される。
【００２０】
図２（ａ）は、下ケース４０に上ケース２０を組み付ける途中の状態を示す電子鍵盤楽器の右側面図である。図２（ｂ）は、下ケース４０に上ケース２０を仮組み付けして締結固定する前の状態を示す電子鍵盤楽器の右半部の斜視図である。図２（ａ）、（ｂ）においては、腕木７０が未だ組み付け前の状態である。
【００２１】
図３（ａ）は、上ケース２０を仮組み付けして腕木７０を組み付ける前の状態における電子鍵盤楽器の右部の平面図、図３（ｂ）は同状態における電子鍵盤楽器の右側面図である。図３（ｃ）は、上ケース２０及び腕木７０を組み付けた後の状態における電子鍵盤楽器の右部の平面図、図３（ｄ）は同状態における電子鍵盤楽器の右側面図である。
【００２２】
上ケース２０及び下ケース４０は金属製であるが、樹脂で構成してもよい。上ケース２０は、下ケース４０とは別体に構成される。上ケース２０が、下ケース４０へ装着される際には、主に、下ケース４０の後端部である背板部４１の上部と上ケース２０の後端部２０ａとで左右２カ所の回動部Ｃ１が構成される（図１（ｂ）、図２（ａ）、図３（ｂ）参照）。そして、この回動部Ｃ１を中心として、上ケース２０は、その前端が下ケース４０に対して開閉方向に回動自在にされ、上ケース２０は、その装着状態においては、下ケース４０の後半部の上側に位置する。ここで、図２（ａ）の時計方向が上ケース２０の開方向である。回動部Ｃ１の構成については、図６〜図１０を用いて後述する。
【００２３】
図４（ａ）は、上ケース２０及び腕木７０を組み付ける前の状態における電子鍵盤楽器の左部の平面図、図４（ｂ）は、上ケース２０の組み付け後であって腕木７０を組み付ける前の状態における電子鍵盤楽器の左部の平面図、図４（ｃ）は、上ケース２０及び腕木７０を組み付けた後の状態における電子鍵盤楽器の左部の平面図である。
【００２４】
図１、図２（ｂ）に示すように、鍵盤部ＫＢは下ケース４０に設けられ、下ケース４０にはさらに、鍵盤部ＫＢの左右両側において拍子木４４、４５が固定的に配設される。下ケース４０の右側面４２Ｒには、左右方向に沿って、腕木７０Ｒを取り付けるためのネジ穴４６が複数設けられる（図２（ｂ）参照）。右側面４２Ｒからは、板状の下側フランジ４７Ｒが延設されている（図２、図３（ａ）、（ｂ）参照）。下側フランジ４７Ｒは、金属製が好ましく、右側面４２Ｒに対して固定的に設けられるが、下ケース４０が金属製である場合は、下ケース４０と一体に形成されるのが好ましい。
【００２５】
図４（ａ）、（ｂ）に示すように、下ケース４０の左側面４２Ｌには、下側フランジ４７Ｌが延設される。左側面４２Ｌ及び下側フランジ４７Ｌは、右側面４２Ｒ及び下側フランジ４７Ｒと左右対称に同様に構成される。各下側フランジ４７には、上下方向に貫通しているネジ穴４８が複数形成されている（図４（ａ）参照）。
【００２６】
上ケース２０の左右両側には、前後及び上下方向に平行な左側部２５Ｌ／右側部２５Ｒが設けられる（図２、図３（ｂ）、図４（ｂ）参照）。図２、図３（ｂ）に示すように、右側部２５Ｒには、左右方向に沿って、腕木７０Ｒを取り付けるためのネジ穴２６が複数設けられる。右側部２５Ｒは金属製が好ましく、上ケース２０の上板部２１に対して固定的に設けられるが、上板部２１が金属製である場合は、上板部２１と一体に形成されるのが好ましい。
【００２７】
上ケース２０の組み付け状態における右側部２５Ｒの下部は、右方に折曲され、右方に延設された上側フランジ２７Ｒとなっている。左側部２５Ｌの下部は、左方に折曲され、左方に延設された上側フランジ２７Ｌとなっている。左側部２５Ｌ及び上側フランジ２７Ｌは、右側部２５Ｒ及び上側フランジ２７Ｒと左右対称に同様に構成される。各上側フランジ２７には、下側フランジ４７のネジ穴４８に対応して締結用穴３０が形成されている（図２（ｂ）、図３（ａ）参照）。
【００２８】
下ケース４０に上ケース２０が組み付け固定される際には、下側フランジ４７Ｌ／４７Ｒに上側フランジ２７Ｌ／２７Ｒが対向当接状態となる（図２（ｂ）、図３（ｂ）参照）。そして、ネジ４９を、締結用穴３０を介してネジ穴４８に螺合することで、上ケース２０が下ケース４０に上側から固定される（図４（ｂ）参照）。上ケース２０が表向きのままネジ４９の螺合作業ができるので、目視で、上ケース２０の水平方向の位置を適切にして螺合することができる。
【００２９】
上ケース２０の上板部２１の表面側には、表示画面部１２及び多数の操作子群１１が配設される（図２（ｂ）参照）。上ケース２０の上板部２１の裏面側には、不図示の基板が配設され、操作子群１１は、該基板に対して配設されて、上板部２１の表面側に露出している（図１参照）。また、操作子群１１のうち一部は、上記基板に配設されたフェーダ取付部１３に対して、上板部２１の表面側からフェーダ操作子１４が取り付けられてなる（図４（ｂ）、（ｃ）参照）。
【００３０】
図５（ａ）は、腕木７０Ｒの表側を示す右側面図、図５（ｂ）は、腕木７０Ｒの裏側を示す左側面図、図５（ｃ）は、同図（ａ）のＡ−Ａ線に沿う断面図である。腕木７０Ｒと腕木７０Ｌとは、左右対称に同様に構成され、筐体１０とは別体に構成される。
【００３１】
腕木７０Ｒには、長手方向中央部下部に切欠部７０ｂが形成され、筐体１０への装着後においては、切欠部７０ｂが、電子鍵盤楽器を把持する際に手を掛ける把持部となる。腕木７０Ｒは樹脂で金型により一体成形される。腕木７０Ｒには、図３（ｂ）等に示す上ケース２０の右側部２５Ｒのネジ穴２６及び下ケース４０の右側面４２Ｒのネジ穴４６に対応して、締結用穴７１が複数形成されている（図５（ａ）、（ｂ）参照）。
【００３２】
図５（ｃ）に示すように、腕木７０Ｒには、上半部において、長手方向に沿った凹状の逃げ部７０ａが形成されている。腕木７０Ｒの筐体１０への装着時において、
逃げ部７０ａには、上側フランジ２７Ｒ及び下側フランジ４７Ｒが干渉することなく嵌入される。また、図５（ｂ）に示すように、腕木７０Ｒの左側部（裏側）には、剛性確保のためのリブ７２、７３が複数形成されている。
【００３３】
図６は、上ケース２０が開状態にあるときの１つの回動部Ｃ１（図１（ｂ）等参照）の構成を示す縦断面図である。ここで、図６に示す状態が、上ケース２０が回動部Ｃ１を中心に最も開方向に回動した全開状態であり、これを「開状態」と称する。一方、図２（ｂ）に示す状態が、上ケース２０が最も閉方向に回動した全閉状態であり、これを「閉状態」と称する。
【００３４】
図７（ａ）は、１つの回動部Ｃ１のうち下ケース４０に設けられる部分の平面図、図７（ｂ）は図７（ａ）のＢ−Ｂ線に沿う断面図、図７（ｃ）は、下ケース４０に設けられる上記部分の背面図である。図６は、図７（ａ）のＢ−Ｂ線に沿う断面図に相当する。回動部Ｃ１は、左右方向に離間した２カ所に設けられるが、３つ以上設けてもよい。また、２つの回動部Ｃ１は、構成が同一であるが、左右対称としてもよい。
【００３５】
図６に示すように、回動部Ｃ１は、下ケース４０の背板部４１の上部、水平部５０、上ケース２０の後端部２０ａ、及びプレート６０によって構成される。上ケース２０の後端部２０ａは、第１屈曲部２２、第２屈曲部２３及び第３屈曲部２４で構成され、全体として一体に鉤状に屈曲形成されている。第１屈曲部２２は、上ケース２０の上板部２１に連接し、第１屈曲部２２に、第２屈曲部２３及び第３屈曲部２４が順に連接している。側面視において、第１屈曲部２２は上板部２１に対して内側（開状態において前側）に鈍角を成し、第２屈曲部２３は上板部２１に対してほぼ垂直であり、第３屈曲部２４は、上板部２１に対して、先端ほど上板部２１に近づくように数〜１０°程度の角度を有している。
【００３６】
図４（ａ）、図６、図７に示すように、下ケース４０の背板部４１の上端部からは、前方に向かって水平で板状の水平部５０が設けられている。水平部５０は、背板部４１に固定的であれば、背板部４１と一体でも別体でもよい。水平部５０において、各回動部Ｃ１に相当する部分には、鍵並び方向に長い矩形穴５２が形成されている。水平部５０にはまた、矩形穴５２とは別に、矩形穴５１が左右端部を含む複数箇所に形成されている（図４（ａ）参照）。
【００３７】
プレート６０は、各矩形穴５２に対応する位置において、背板部４１の後面に各２つのネジ６２で取り付けられる（図１（ｂ）、図４（ａ）、図６、図７参照）。図７（ｂ）に示すように、プレート６０の上部は、後側に斜めに（４５°程度）折曲形成されて、係合突接部６１となっている。係合突接部６１のうち、折れ曲がった位置（折曲位置６１ｘ）を含む部分が、側面視「く」字状の幅狭部６１ａであり、幅狭部６１ａより先端部分の傾倒された部分が、側面視で真直な幅広部６１ｂである。
【００３８】
図７（ａ）、（ｃ）に示すように、幅狭部６１ａは、プレート６０の右半部から延設され、幅広部６１ｂは、幅狭部６１ａよりも鍵並び方向において左側に長く形成されている。プレート６０は、金属製が好ましく、背板部４１に対して固定的であればよく、背板部４１と一体に形成されていてもよい。
【００３９】
図８（ａ）、図９（ａ）、図１０（ａ）は、回動部Ｃ１の平面図、図８（ｂ）、図９（ｂ）、図１０（ｂ）は、それぞれ、図８（ａ）、図９（ａ）、図１０（ａ）のＣ−Ｃ線、Ｄ−Ｄ線、Ｅ−Ｅ線に沿う断面図である。図８、図１０は、それぞれ、上ケース２０の開状態、閉状態を示し、図９は、上ケース２０の組み付け開始時または開閉のための回動行程途中の状態（半開状態）を示している。上ケース２０は、閉状態にて下ケース４０に組み付け固定される。
【００４０】
上ケース２０の第３屈曲部２４は、鍵並び方向に沿って上ケース２０の全幅に亘って形成されるが、その回動部Ｃ１に相当する部分は、上板部２１の反対側にほぼ直角に折れ曲がった折曲片２９となっている（図６、図８（ｂ）、図９（ｂ）、図１０（ｂ）参照）。図９（ａ）に示すように、上ケース２０の開状態における折曲片２９の平面視形状は、矩形穴５２に対応する形状に形成され、延設長さ及び鍵並び方向の長さは、矩形穴５２の前後方向の長さ及び鍵並び方向の長さよりも少し短い。
【００４１】
また、図示はしないが、第３屈曲部２４のうち、矩形穴５１（図４（ａ）参照）に対応する部分には、折曲片２９と同様に折れ曲がった折曲片が形成されている。
【００４２】
図６、図８〜図１０に示すように、第３屈曲部２４の、折曲片２９よりも第２屈曲部２３側である根本部分２４ａから、折曲片２９の根本にかけて、係合穴２８が形成されている。すなわち、第３屈曲部２４の根本部分２４ａに幅広対応部２８ｂが形成され、折曲片２９の根本に幅狭対応部２８ａが形成され、幅広対応部２８ｂ及び幅狭対応部２８ａが連接形成されて１つの係合穴２８が構成されている。
【００４３】
幅広対応部２８ｂは、鍵並び方向において幅狭対応部２８ａよりも左方に長い。すなわち、鍵並び方向において、幅広対応部２８ｂは、係合突接部６１の幅広部６１ｂよりも少し長く、幅広部６１ｂが挿通可能である。また、幅狭対応部２８ａは、幅広対応部２８ｂ乃至幅広部６１ｂよりも十分に短く、幅広部６１ｂが挿通不能であると共に、幅狭部６１ａよりも少し長く、幅狭部６１ａが挿通可能である。
【００４４】
また、折曲片２９には、ネジ穴２９ａが形成されている（図８（ａ）、図９（ａ）参照）。一方、下ケース４０の背板部４１には、ネジ穴２９ａに対応して、締結用穴５３が形成されている（図７（ａ）参照）。上ケース２０が閉状態にあるときには、折曲片２９が背板部４１の前面に対向当接する（図１０参照）。この状態で、ネジ５４によって、締結用穴５３及びネジ穴２９ａを介して、背板部４１に折曲片２９が固定される（図１（ｂ）、図７（ｃ）、図１０（ａ）参照）。これと同様に、第３屈曲部２４の矩形穴５１（図４（ａ）参照）に対応する上記不図示の折曲片と背板部４１とにも、それぞれ、ネジ穴及び締結用穴が設けられ、ネジ１５で締結される（図１（ｂ）参照）。従って、２つのネジ５４と複数のネジ１５とによって、上ケース２０が閉状態で下ケース４０に後側から固定される。
【００４５】
上ケース２０の配設の際には、上ケース２０に、予め、上記した不図示の基板等の部品を装着すると共に、下ケース４０に、各種部品を配設しておく。上ケース２０の下ケース４０への組み付けは、次のようにしてなされる。
【００４６】
まず、図９（ｂ）に示すように、上ケース２０の折曲片２９と第３屈曲部２４の根本部分２４ａとが成す鋭角側の面を、係合突接部６１に対して突設方向に沿って近づけ、左右２つの折曲片２９の係合穴２８の幅広対応部２８ｂに、対応する係合突接部６１の幅広部６１ｂを一緒に挿通し係合させる。その際、折曲片２９と根本部分２４ａとが成す鋭角側の面が、側面視「く」字状であって、係合ガイド機能を果たす。
【００４７】
幅広対応部２８ｂを幅広部６１ｂが貫通し、第３屈曲部２４が背板部４１に当接するまで上ケース２０を変位させると、係合穴２８が幅狭部６１ａに係合する。上ケース２０は、図９（ｂ）に示す姿勢乃至回動角度においては、係合突接部６１の幅広部６１ｂの突設方向に沿って進退移動させれば、係合穴２８に係合突接部６１を挿通係合させること、及び係合解除を自由に行うことができる。
【００４８】
このような自由に挿通係合／係合解除可能な上ケース２０の回動角度には、２０°程度の許容範囲があり、該範囲は、右側面視において、折曲片２９と幅広部６１ｂとが平行である角度位置から図９（ｂ）の時計方向に２０°程度までの回動角度範囲である。以降、これを「着脱可能角度範囲」と呼称する。従って、製品組み立て時及びメンテナンス時において、この着脱可能角度範囲に相当する姿勢で、下ケース４０に対する上ケース２０の着脱がなされる。
【００４９】
係合穴２８に係合突接部６１が挿通係合された状態（図９（ａ）、（ｂ））において、上ケース２０の下ケース４０に対する開閉方向の回動操作は、幅狭部６１ａと幅狭対応部２８ａとの鍵並び方向の位置を対応させた状態でなされる。すなわち、係合穴２８の右端に係合突接部６１の右端を近接または当接させた状態でなされる。係合穴２８と係合突接部６１とが挿通状態で係合して回動部Ｃ１を構成しているので、上ケース２０が脱落することがなく、且つ、上ケース２０の先端等を把持して、軽い力で開閉操作が可能である。
【００５０】
上ケース２０を閉状態にするには、上ケース２０を図９（ｂ）における反時計方向に回動させる。すると、図１０（ａ）、（ｂ）に示すように、やがて、第３屈曲部２４の、折曲片２９に対して根本部分２４ａの反対側である先端側半部２４ｂが、下ケース４０の水平部５０の上面に対向当接すると共に、折曲片２９が背板部４１の前面に対向当接する。しかも、下側フランジ４７Ｌ／４７Ｒと上側フランジ２７Ｌ／２７Ｒとも対向当接する（図２（ｂ）、図３（ｂ）参照）。
【００５１】
この閉状態においては、図１０に示すように、係合突接部６１の幅狭部６１ａには、係合穴２８の幅広対応部２８ｂが係合している。しかし、上記した折曲片２９と背板部４１の前面との当接に加えて、幅広対応部２８ｂのうち根本部分２４ａ側の縁部と係合突接部６１の後面のうち折曲位置６１ｘとが当接している。これらにより、上ケース２０をこのままの姿勢で幅広部６１ｂの突設方向に離間移動させようとしても、上ケース２０が変位できず、上ケース２０の閉状態が安定的に維持される。
【００５２】
すなわち、折曲片２９と背板部４１との当接により、上ケース２０は後方に変位できない。また、折曲位置６１ｘに根本部分２４ａの幅広対応部２８ｂ側の端部が当接していて、且つ、係合突接部６１の折曲位置６１ｘより上方部分は、斜め後方に屈曲しているため、上ケース２０は前方及び真っ直ぐ上方のいずれにも変位できない。第３屈曲部２４が、背板部４１の上端に当接して、上ケース２０が下方に変位できないことはいうまでもない。これらの結果、上ケース２０の後端部２０ａは、回動部Ｃ１において前後及び上下方向に変位不能にロックされているといえ、回動部Ｃ１において上ケース２０が下ケース４０から意図せずに外れることがない。このように、上ケース２０が仮固定状態になっているので、その後の締結作業がやりやすい。
【００５３】
この閉状態で、背板部４１において、ネジ５４、１５（図１（ｂ）、図７（ｃ）参照）を後側から螺合する。さらに、下側フランジ４７と上側フランジ２７とを、ネジ４９（図４（ｂ）参照）で上側から螺合固定する。これらにより、上ケース２０が下ケース４０に後側及び上側から固定される。さらに、フェーダ取付部１３にフェーダ操作子１４を取り付ける等の作業を行う（図４（ｂ）、（ｃ）参照）。
【００５４】
上ケース２０が下ケース４０に固定されて筐体１０が構成されたら、腕木７０の装着を行う。まず、腕木７０Ｌ、７０Ｒを、左右両側からそれぞれ筐体１０に近づけ、各々の逃げ部７０ａが、対応する上側フランジ２７及び下側フランジ４７を覆い隠すように位置させる。そして、左右両側から、締結用穴７１（図５（ａ）、（ｂ）参照）を介して、ネジ７４で上ケース２０のネジ穴２６及び下ケース４０のネジ穴４６（図２（ｂ）、図３（ｂ）参照）に螺合することで、腕木７０Ｌ、７０Ｒを固定する（図３（ｄ）、図４（ｃ）参照）。
【００５５】
ところで、製品完成後において、メンテナンス等のために、上ケース２０を取り外す必要がある場合がある。その場合は、まず、腕木７０を取り外すと共に、ネジ５４、１５（図１（ｂ）、図７（ｃ）参照）を外す。そして、上ケース２０を開方向に回動させ、図６に示すように、第３屈曲部２４の根本部分２４ａがプレート６０に当接部Ｐ２で当接するまで回動させる。
【００５６】
このとき、係合突接部６１の幅狭部６１ａに係合穴２８の幅狭対応部２８ａが係合した状態となり、且つ、幅狭部６１ａの折曲片２９の縁部（折曲片２９の幅狭部６１ａ側の端部）が、当接部Ｐ１で幅狭部６１ａの前面に当接する。この状態が、上ケース２０の開状態であり、第３屈曲部２４及び上板部２１が鉛直方向よりやや後方に傾斜した状態となる。
【００５７】
上ケース２０は、開状態においては、幅狭部６１ａに幅狭対応部２８ａが係合しているので、上ケース２０を上方に移動させとようとしても、幅狭対応部２８ａが幅広部６１ｂの下端に干渉して、上ケース２０をそれ以上移動させることができない。また、上ケース２０は、当接部Ｐ１における当接により、後方へは変位できず、当接部Ｐ２における当接により、前方へも変位できない。さらに、第３屈曲部２４が、背板部４１の上端に当接して、上ケース２０が下方に変位できないことはいうまでもない。これらの結果、上ケース２０の後端部２０ａは、実質的に回動部Ｃ１において前後及び上下方向に変位不能にロックされているといえ、回動部Ｃ１において上ケース２０が下ケース４０から意図せずに外れることがない。
【００５８】
ここで、開状態にある上ケース２０の重心は、図６に示す鉛直線Ｌ２の延長線上に位置し、前後方向においてプレート６０よりも後方（前後方向における第３屈曲部２４と上板部２１との間）に位置する。従って、上ケース２０の自重により、回動部Ｃ１に対して時計方向の回転モーメントがかかる。上記当接部Ｐ１、Ｐ２において、この回転モーメントに釣り合う反力が発生している。
【００５９】
従って、上ケース２０は、開状態のまま手を離しても安定した姿勢を維持する構造となっている。それゆえ、開状態においては、上ケース２０が意図せずに閉方向に回動することがない。従って、メンテナンス時等には、上ケース２０を開状態にしたまま維持し、下ケース４０に配設された部品の点検、交換等の作業を安全に行える。なお、上ケース２０が開状態に安定支持されるようにする観点からは、当接部Ｐ１、Ｐ２間の上下方向の距離Ｌ１は、長い方が好ましい。
【００６０】
なお、本実施の形態では、上ケース２０の開状態においては、後端部２０ａの第３屈曲部２４の根本部分２４ａがプレート６０に当接部Ｐ２で当接し（図６参照）、従って、根本部分２４ａは、プレート６０を介して下ケース４０の背板部４１の後面に間接的に当接する。しかし、プレート６０が背板部４１と一体に形成される場合は、根本部分２４ａが背板部４１に直接当接することになる。
【００６１】
なお、製品組み立て工程においても、下ケース４０への部品配設は、下ケース４０に対して上ケース２０が完全に離間した状態で行うのではなく、上ケース２０を回動部Ｃ１で係合させて開状態に維持した状態で行うようにしてもよい。このように、作業工程の編成には自由度がある。
【００６２】
ところで、プレート６０の係合突接部６１における後方に折曲する角度、すなわち、幅広部６１ｂの突設方向の鉛直方向に対する角度は、４５°程度であるが、０°より大きく９０°より小さい角度の範囲内で設定可能である。
【００６３】
すなわち、上ケース２０の開閉時の回動行程途中における所定の回動角度でのみ、上ケース２０を係合突接部６１に対して幅広部６１ｂの突設方向に平行移動させたとき、係合穴２８に幅広部６１ｂが抜き差し可能であればよい。その所定の回動角度が、上記した「着脱可能角度範囲」となる。特に閉状態（図１０参照）に近い状態においては、係合穴２８の幅広対応部２８ｂと係合突接部６１の折曲位置６１ｘとの当接に加えて、折曲片２９と背板部４１との当接が、係合突接部６１と係合穴２８との係合解除を阻止する機能を果たすことになるため、これらも併せて考慮して、「着脱可能角度範囲」が確保されるように設計すればよい。
【００６４】
本実施の形態によれば、上ケース２０を、着脱可能角度範囲に相当する姿勢でのみ、幅広部６１ｂの突設方向に沿って移動させることで、幅広部６１ｂに対して幅広対応部２８ｂが相対的に抜き差し可能であるので（図９参照）、上ケース２０を半開状態でのみ下ケース４０から容易に着脱可能にして、組み立て時及びメンテナンス時の作業の効率及び安全性を向上させることができる。
【００６５】
特に、上ケース２０の開状態においては（図８参照）、幅広部６１ｂと幅狭対応部２８ａとの係合により、係合穴２８に対する幅広部６１ｂの突設方向への相対的な抜き差しが阻止されるので、上ケース２０が開状態で意図せず下ケース４０から外れることを回避することができる。
【００６６】
また、上ケース２０の閉状態においては（図１０参照）、折曲片２９と背板部４１の前面との当接と、幅広対応部２８ｂと折曲位置６１ｘとの当接の、両当接係合の協働によって、係合穴２８に対する幅広部６１ｂの突設方向への相対的な抜き差しが阻止されるので、上ケース２０が閉状態で意図せずに下ケース４０から外れることを回避することができる。
【００６７】
さらに、上ケース２０の開状態においては、当接部Ｐ１、Ｐ２での両当接係合の協働によって、上ケース２０が開状態に安定維持されるので（図６参照）、作業性や安全性を向上させることができる。
【００６８】
本実施の形態によればまた、下ケース４０の下側フランジ４７と上ケース２０の上側フランジ２７とが、ネジ４９（図４（ｂ）参照）で上側から螺合固定され、それらを覆い隠すように、腕木７０が左右両側から固定されるので、表向きにしたまま上ケース２０を下ケース４０に固定できると共に、腕木７０でネジ４９を自然な形で見えなくして、外観を向上させることができる。特に、腕木７０に設けた逃げ部７０ａが、対応する上側フランジ２７及び下側フランジ４７全体を覆い隠すので、外観を一層向上させることができる。また、蝶番のみで上ケースと下ケースとを固定する構成に比し、電気的導通を確保しやすい構成である。
【００６９】
なお、下側フランジ４７及び上側フランジ２７（図２（ｂ）参照）は、上ケース２０の閉状態において、互いに締結固定され得るように対向すればよく、フランジのような板状の形態をとることは必須ではない。
【００７０】
なお、ネジ４９（図４（ｂ）参照）は上下方向に真直であったが、上方から螺合作業ができれば、多少傾倒されていてもよい。
【００７１】
なお、ネジ４９を見えなくして外観を向上させる観点に限って言えば、腕木７０は、少なくともネジ４９を覆い隠すように構成・配設されればよい。
【００７２】
なお、腕木７０は、上ケース２０の左側部２５Ｌ／右側部２５Ｒ及び下ケース４０の左側面４２Ｌ／右側面４２Ｒの双方に対して締結されたが、上ケース２０または下ケース４０のいずれかのみに締結固定される構成であってもよい。
【００７３】
なお、腕木７０は、樹脂製以外の、例えば木製としてもよく、その場合は、逃げ部７０ａ（図５参照）に相当する凹部を、座繰り加工等によりくり抜いて設けてもよい。
【００７４】
なお、本実施の形態では、プレート６０の係合突接部６１の幅広部６１ｂは、幅狭部６１ａに対して左側にのみ長く形成されたが、これに限られず、図１１に示すように、左右両側に長く形成してもよい。
【００７５】
図１１は、プレート６０及び係合穴２８の形状を変えた変形例を示す回動部Ｃ１の平面図であり、図１０（ａ）に対応する。図１１に示すように、幅広部６１ｂは、幅狭部６１ａに対して左右両側に長く延設され、係合突接部６１全体でＴ字状を呈する。これに対応して、上ケース２０の後端部２０ａの係合穴２８についても、幅広対応部２８ｂは、幅狭対応部２８ａよりも左右両側に長く形成されている。この構成であっても、第１の実施の形態と同様の効果を奏する。
【００７６】
なお、プレート６０の係合突接部６１における傾倒方向は、後方に限られず、図１２に示すように、前方であってもよい。
【００７７】
図１２（ａ）〜（ｃ）は、回動部Ｃ１の変形例を示す図であり、同図（ａ）〜（ｃ）が、図１０（ｂ）、図９（ｂ）、図８（ｂ）に対応して、ぞれぞれ、上ケース２０の閉状態、回動行程途中の状態、開状態を示している。図１２（ａ）〜（ｃ）に示すように、係合突接部６１において、幅広部６１ｂは、斜め前側に傾倒されている。プレート６０は、下ケース４０の背板部４１の前面に固定されるが、後面に固定されてもよく、背板部４１と一体に形成されてもよい。傾倒方向を除いて、プレート６０の構成は、第１の実施の形態におけるものと同様である。
【００７８】
また、上ケース２０の後端部２０ａの第３屈曲部２４は、根本部分２４ａを有するが、先端側半部２４ｂに相当する部分を有しない。その他の構成は、第１の実施の形態におけるものと同様である。
【００７９】
この変形例の構成によれば、開閉の途中においては、幅広部６１ｂに対して幅広対応部２８ｂが相対的に抜き差し可能であり、「着脱可能角度範囲」が確保されている（図１２（ｂ）参照）。
【００８０】
また、上ケース２０の閉状態（図１２（ａ））、開状態（図１２（ｃ）参照）においては、図１０、図８に示す状態と同様に、上ケース２０の後端部２０ａが、回動部Ｃ１において前後及び上下方向に変位不能にロックされているといえ、回動部Ｃ１において上ケース２０が下ケース４０から意図せずに外れることがない。
【００８１】
ただし、開状態（図１２（ｃ））においては、閉方向に回動することを阻止する構造とはならない。従って、上ケース２０を開状態に安定維持するためには、例えば、別途の支持部材を下ケース４０と上ケース２０の前端との間に係合させる等の工夫を施す必要がある。
【００８２】
図１２に示す変形例によれば、上ケース２０を手放しで開状態に安定維持する効果を除き、図１〜図１０に示した構成と同様の効果を奏することができる。
【００８３】
なお、上記説明した各例では、係合突接部６１は下ケース４０に、係合穴２８は上ケース２０にそれぞれ設けられたが、良好な外観を考慮しないならば、これらを設ける側を上ケース２０と下ケース４０とで逆にしてもよい。
【００８４】
なお、鍵盤部ＫＢ、拍子木４４、４５のいずれかまたは双方は、下ケース４０ではなく上ケース２０に配設してもよい。
【００８５】
なお、表向きにしたまま上ケース２０を下ケース４０に固定できると共に、ネジ４９を自然な形で見えなくして外観を向上させるという観点に限って言えば、上ケース２０は、下ケース４０に対して回動自在に係合する構成でなくてもよい。例えば、完全に分離して構成し、上側から上ケース２０を被せて固定する構造であってもよい。あるいは、回動部Ｃ１に代えて、抜き差し可能な回動ピンを用いた回動機構等の他の構成を採用してもよい。または、蝶番等によって、上ケース２０が下ケース４０に常時回動自在に連結された構成であってもよい。
【図面の簡単な説明】
【００８６】
【図１】本発明の一実施の形態に係る筐体構造が適用される電子鍵盤楽器の平面図（図（ａ））、背面図（図（ｂ））である。
【図２】下ケースに上ケースを組み付ける途中の状態を示す電子鍵盤楽器の右側面図（図（ａ））、下ケースに上ケースを仮組み付けして締結固定する前の状態を示す電子鍵盤楽器の右半部の斜視図（図（ｂ））である。
【図３】上ケースを仮組み付けして腕木を組み付ける前の状態における電子鍵盤楽器の右部の平面図（図（ａ））、同状態における電子鍵盤楽器の右側面図（図（ｂ））、上ケース及び腕木を組み付けた後の状態における電子鍵盤楽器の右部の平面図（図（ｃ））、同状態における電子鍵盤楽器の右側面図（図（ｄ））である。
【図４】上ケース及び腕木を組み付ける前の状態における電子鍵盤楽器の左部の平面図（図（ａ））、上ケースの組み付け後であって腕木を組み付ける前の状態における電子鍵盤楽器の左部の平面図（図（ｂ））、上ケース及び腕木を組み付けた後の状態における電子鍵盤楽器の左部の平面図（図（ｃ））である。
【図５】腕木の表側を示す右側面図（図（ａ））、腕木の裏側を示す左側面図（図（ｂ））、図（ａ）のＡ−Ａ線に沿う断面図（図（ｃ））である。
【図６】上ケースが開状態にあるときの１つの回動部の構成を示す縦断面図である。
【図７】１つの回動部のうち下ケースに設けられる部分の平面図（図（ａ））、図（ａ）のＢ−Ｂ線に沿う断面図（図（ｂ））、下ケースに設けられる上記部分の背面図（図（ｃ））である。
【図８】上ケースの開状態における回動部の平面図（図（ａ））、図（ａ）のＣ−Ｃ線に沿う断面図（図（ｂ））である。
【図９】上ケースの組み付け開始時または開閉のための回動行程途中の状態における回動部の平面図（図（ａ））、図（ａ）のＤ−Ｄ線に沿う断面図（図（ｂ））である。
【図１０】上ケースの閉状態における回動部の平面図（図（ａ））、図（ａ）のＥ−Ｅ線に沿う断面図（図（ｂ））である。
【図１１】プレート及び係合穴の形状を変えた変形例を示す回動部の平面図である。
【図１２】回動部の変形例において、上ケースの閉状態（図（ａ））、回動行程途中の状態（図（ｂ））、開状態（図（ｃ））を示す図である。
【符号の説明】
【００８７】
１０  筐体、  ２０  上ケース、  ２０ａ  後端部、  ２８  係合穴、  ２８ａ  幅狭対応部、  ２８ｂ  幅広対応部、  ４０  下ケース、  ４１  背板部（後端部）、  ６０  プレート、  ６１  係合突接部（突設部）、  ６１ａ  幅狭部、  ６１ｂ  幅広部、  ６１ｘ  折曲位置、  Ｃ１  回動部、  Ｐ１、Ｐ２  当接部
【図１】
2008164778.tif 000003
【図２】
2008164778.tif 000004
【図３】
2008164778.tif 000005
【図４】
2008164778.tif 000006
【図５】
2008164778.tif 000007
【図６】
2008164778.tif 000008
【図７】
2008164778.tif 000009
【図８】
2008164778.tif 000010
【図９】
2008164778.tif 000011
【図１０】
2008164778.tif 000012
【図１１】
2008164778.tif 000013
【図１２】
2008164778.tif 000014